(57)【要約】【課題】インターネットのような放送区域の概念を設定不可能なコンテンツ配信システムにおいて、域外受信防止を実現する方法、ならびに端末装置を提供する。【解決手段】放送局３００から、インターネット上のコンテンツを再生するために必要となる少なくとも一つの再生情報（例えばコンテンツ取得ＵＲＩや復号鍵情報）を電波放送に多重して放送する。端末装置１００は、コンテンツリストを元に視聴できる番組をユーザに提示し、コンテンツの選択・再生操作が行われた時に、該コンテンツのメタデータに含まれる周波数、ＴＳ−ＩＤ、ＰＩＤに該当する電波放送チャンネルに含まれるＴＳパケットを抽出し、コンテンツ取得ＵＲＩや復号鍵情報を取得する。【選択図】図１
2011077983.tif 000002
【特許請求の範囲】
【請求項１】
電波放送に関連したコンテンツを前記電波放送以外の手段によって配信する、域外受信を防止するためのコンテンツ配信方法であって、
前記コンテンツを再生するために必要となる再生必要情報を前記電波放送に多重して繰り返し放送する再生情報多重ステップと、
前記コンテンツの再生操作が行われた時に、前記電波放送に多重された前記再生必要情報を取得する再生情報取得ステップと、
この取得した再生必要情報を用いて前記コンテンツを再生する再生ステップと
を有したコンテンツ配信方法。
【請求項２】
前記再生情報は、前記コンテンツを再生するための再生情報の所在を示す所在情報であり、
前記再生情報多重ステップでは、前記所在情報を多重して放送し、
前記再生情報取得ステップでは、前記所在情報を取得し、
前記再生ステップでは、この取得した所在情報を用いて前記再生情報を取得し、この取得した再生情報を用いて前記コンテンツを再生する再生ステップと
を有した請求項１記載のコンテンツ配信方法。
【請求項３】
前記所在情報が時間によって変化することを特徴とする請求項２記載のコンテンツ配信方法。
【請求項４】
前記所在情報は、前記コンテンツの所在を示す情報であり、
前記再生ステップにおいて、前記所在情報を用いて、前記コンテンツを取得して再生することを特徴とする請求項２記載のコンテンツ配信方法。
【請求項５】
さらに、前記電波放送もしくは前記電波放送以外の手段によって前記コンテンツのタイトルと前記再生情報の多重位置とを含むリストを取得するリスト取得ステップを有し、
前記再生情報取得ステップにおいて、前記取得したリストを基に所望のコンテンツのタイトルを選択し、前記選択したタイトルに対応した前記多重位置を基に、前記電波放送に多重された前記再生情報を取得することを特徴とする請求項１記載のコンテンツ配信方法。
【請求項６】
さらに、前記電波放送もしくは前記電波放送以外の手段によって前記コンテンツのタイトルと前記コンテンツの所在を示す所在情報と前記再生情報の多重位置とを含むリストを取得するリスト取得ステップと、
前記取得したリストを基に所望のコンテンツのタイトルを選択し、前記選択したタイトルに対応した前記所在情報を用いて、インターネットを介して前記コンテンツを取得して記録する記録ステップとを有し、
前記再生ステップにおいて、前記記録されたコンテンツを再生することを特徴とする請求項１記載のコンテンツ配信方法。
【請求項７】
前記電波放送以外の手段が記録済みの大容量記録媒体であり、
前記再生ステップにおいて、前記大容量記録媒体に記録された前記コンテンツを再生することを特徴とする請求項１記載のコンテンツ配信方法。
【請求項８】
前記コンテンツが暗号化されており、
前記再生情報が前記コンテンツの復号に必要な復号情報を含み、
前記再生ステップにおいて、前記復号情報を用いて、前記コンテンツを復号して再生することを特徴とする請求項１記載のコンテンツ配信方法。
【請求項９】
前記復号情報は、前記コンテンツを復号するための復号鍵の所在を示す情報を含み、
前記再生ステップにおいて、前記復号鍵の所在を示す情報を用いて前記復号鍵を取得し、この取得した復号鍵を用いて前記コンテンツを再生することを特徴とする請求項８記載のコンテンツ配信方法。
【請求項１０】
電波放送に関連したコンテンツを前記電波放送以外の手段によって配信する、域外受信を防止するためのコンテンツ配信方法であって、
前記コンテンツを再生するために必要となる再生情報の所在を示す所在情報を前記電波放送に多重して繰り返し放送する再生情報多重ステップと、
この所在情報を基にした前記再生情報の取得の要求があったとき、その要求先に対して前記再生情報を送信する再生情報送信ステップとを有し、
前記再生情報多重ステップにおける所在情報と、前記再生情報送信ステップにおける所在情報とを時間によって連動して変化させることを特徴とするコンテンツ配信方法。
【請求項１１】
電波放送に関連したコンテンツを前記電波放送以外の手段によって取得、再生する端末装置であって、
電波放送を受信する受信手段と、
電波放送以外の手段によりコンテンツを取得する取得手段と、
前記コンテンツを再生する再生手段と、
前記コンテンツを再生する際に、前記受信手段から前記コンテンツを再生するために必要な再生情報を取得する再生情報取得手段とを有し、
前記コンテンツの再生要求をトリガとして、前記再生情報取得手段により前記再生情報を取得し、この再生情報を用いて前記取得手段から取得したコンテンツを前記再生手段により再生するように制御する制御部とを備えた端末装置。
【発明の詳細な説明】
【技術分野】
【０００１】
本発明は、インターネット等の通信ネットワークやＢＤ（Ｂｌｕ−ｒａｙ  Ｄｉｓｃ（登録商標））等のメディア媒体を用いたコンテンツ配信に関し、特に、デジタル放送の著作権保護規定の一つである域外受信防止を実現する技術に関する。
【背景技術】
【０００２】
近年、インターネットが家庭に一般的に普及したことを受け、テレビとインターネットを連携させたサービスが試みられつつある。テレビがブラウザを備えてＷｅｂサイトを閲覧できるのはもちろんのこと、データ放送を利用して、テレビ番組を視聴中に番組に関連するＷｅｂサイトへのリンクを表示することも可能である。さらに、過去に放送した番組をインターネット上のサーバに蓄積し、有料もしくは無料でテレビに配信するサービスも実現されている。
【０００３】
放送局が番組に関連したコンテンツを提供する場合、二通りの方法がある。一つ目は放送電波の中に多重する方法であり、二つ目はインターネットを利用する方法である。放送電波の中に多重する方法では、放送局が使用できる電波帯域が制限されているため、動画のように大容量のコンテンツを多重してしまうと、メインとなるテレビ番組自体の帯域を下げる、すなわち画質を下げる必要がある。一方、インターネットを利用する方法では、コンテンツ自体はインターネットのサーバに蓄積しておくことが出来るので、動画のように大容量のコンテンツであっても、テレビ番組の帯域を下げる、すなわち画質を下げる必要はない。そのため、放送局はインターネットを利用した連携サービスを試みようとしている。
【０００４】
しかし、インターネットを利用する方法には大きな課題がある。電波法及び放送法では、地上デジタル放送を所定の放送区域外へ配信できないことを定めているが、インターネットには地域という概念が基本的に存在しないため、この域外への配信を止めることが非常に困難となってしまう。
【０００５】
この課題を解決するための従来技術として、第１の従来技術は、ＧＰＳ（Ｇｌｏｂａｌ  Ｐｏｓｉｔｉｏｎｉｎｇ  Ｓｙｓｔｅｍ）を備えた端末装置が、インターネットのサーバにアクセスする際にＧＰＳから取得した位置情報をサーバに送り、サーバが端末装置から取得した位置情報に応じた処理を行う方法がある（例えば特許文献１参照）。
【０００６】
また、第２の従来技術として、インターネットのサーバに、視聴を許可する地域のＧＰＳ情報から生成した暗号鍵を用いて暗号化したコンテンツを蓄積しておき、端末装置がコンテンツを視聴する際に、端末装置が備えたＧＰＳから取得した位置情報を元に復号鍵を生成して復号する方法がある（例えば特許文献２参照）。
【０００７】
また、第３の従来技術として、放送電波から取得したチャンネル情報（ＮＩＴ：Ｎｅｔｗｏｒｋ  Ｉｎｆｏｒｍａｔｉｏｎ  Ｔａｂｌｅ）を端末装置内に保存し、インターネットから取得したコンテンツのチャンネル情報と比較し、一致した場合にのみインターネットから取得したコンテンツを再生するという方法がある（例えば特許文献３参照）。
【先行技術文献】
【特許文献】
【０００８】
【特許文献１】特開２００２−１１８５２４号公報
【特許文献２】特開２００７−２５１９１３号公報
【特許文献３】特開２００８−５２３２号公報
【発明の概要】
【発明が解決しようとする課題】
【０００９】
しかしながら、第１、第２の従来技術では端末装置にＧＰＳを取り付ける必要があり、家庭内に設置することを前提としたテレビを端末装置とするにはコスト増につながり、さらにＧＰＳを利用する他の用途が存在しないため実現されにくいという課題がある。
【００１０】
また、第３の従来技術では、電波放送から取得したチャンネル情報を一旦端末装置内に保存するという処理を行うことを前提としているため、例えば、端末装置をＡ県からＢ県に移動した場合、Ｂ県のチャンネル情報を取得する前であれば、Ａ県用のインターネットコンテンツが視聴可能となってしまう課題がある。
【００１１】
本発明は上記課題を解決すべくなされたものであり、その目的とするところは、従来のテレビ端末装置に付加装置をつけることなく、確実に域外受信を防止できる方法ならびに端末装置を提供することにある。
【課題を解決するための手段】
【００１２】
上記課題を解決するために、本発明のコンテンツ配信方法は、電波放送に関連したコンテンツを前記電波放送以外の手段によって配信する、域外受信を防止するためのコンテンツ配信方法であって、前記コンテンツを再生するために必要となる再生必要情報を前記電波放送に多重して繰り返し放送する再生情報多重ステップと、前記コンテンツの再生操作が行われた時に、前記電波放送に多重された前記再生必要情報を取得する再生情報取得ステップと、この取得した再生必要情報を用いて前記コンテンツを再生する再生ステップとを有したものである。
【００１３】
また、前記再生情報は、前記コンテンツを再生するための再生情報の所在を示す所在情報であり、前記再生情報多重ステップでは、前記所在情報を多重して放送し、前記再生情報取得ステップでは、前記所在情報を取得し、前記再生ステップでは、この取得した所在情報を用いて前記再生情報を取得し、この取得した再生情報を用いて前記コンテンツを再生する再生ステップとを有したものである。
【００１４】
また、前記所在情報が時間によって変化することを特徴とするものである。
【００１５】
また、前記所在情報は、前記コンテンツの所在を示す情報であり、前記再生ステップにおいて、前記所在情報を用いて、前記コンテンツを取得して再生することを特徴とするものである。
【００１６】
また、さらに、前記電波放送もしくは前記電波放送以外の手段によって前記コンテンツのタイトルと前記再生情報の多重位置とを含むリストを取得するリスト取得ステップを有し、前記再生情報取得ステップにおいて、前記取得したリストを基に所望のコンテンツのタイトルを選択し、前記選択したタイトルに対応した前記多重位置を基に、前記電波放送に多重された前記再生情報を取得することを特徴とするものである。
【００１７】
また、さらに、前記電波放送もしくは前記電波放送以外の手段によって前記コンテンツのタイトルと前記コンテンツの所在を示す所在情報と前記再生情報の多重位置とを含むリストを取得するリスト取得ステップと、前記取得したリストを基に所望のコンテンツのタイトルを選択し、前記選択したタイトルに対応した前記所在情報を用いて、インターネットを介して前記コンテンツを取得して記録する記録ステップとを有し、前記再生ステップにおいて、前記記録されたコンテンツを再生することを特徴とするものである。
【００１８】
また、前記電波放送以外の手段が記録済みの大容量記録媒体であり、前記再生ステップにおいて、前記大容量記録媒体に記録された前記コンテンツを再生することを特徴とするものである。
【００１９】
また、前記コンテンツが暗号化されており、前記再生情報が前記コンテンツの復号に必要な復号情報を含み、前記再生ステップにおいて、前記復号情報を用いて、前記コンテンツを復号して再生することを特徴とするものである。
【００２０】
また、前記復号情報は、前記コンテンツを復号するための復号鍵の所在を示す情報を含み、前記再生ステップにおいて、前記復号鍵の所在を示す情報を用いて前記復号鍵を取得し、この取得した復号鍵を用いて前記コンテンツを再生することを特徴とするものである。
【００２１】
また、本発明のコンテンツ配信方法は、電波放送に関連したコンテンツを前記電波放送以外の手段によって配信する、域外受信を防止するためのコンテンツ配信方法であって、前記コンテンツを再生するために必要となる再生情報の所在を示す所在情報を前記電波放送に多重して繰り返し放送する再生情報多重ステップと、この所在情報を基にした前記再生情報の取得の要求があったとき、その要求先に対して前記再生情報を送信する再生情報送信ステップとを有し、前記再生情報多重ステップにおける所在情報と、前記再生情報送信ステップにおける所在情報とを時間によって連動して変化させることを特徴とすることを特徴とするものである。
【００２２】
また、本発明の端末装置は、電波放送に関連したコンテンツを前記電波放送以外の手段によって取得、再生する端末装置であって、電波放送を受信する受信手段と、電波放送以外の手段によりコンテンツを取得する取得手段と、前記コンテンツを再生する再生手段と、前記コンテンツを再生する際に、前記受信手段から前記コンテンツを再生するために必要な再生情報を取得する再生情報取得手段とを有し、前記コンテンツの再生要求をトリガとして、前記再生情報取得手段により前記再生情報を取得し、この再生情報を用いて前記取得手段から取得したコンテンツを前記再生手段により再生するように制御する制御部とを備えたものである。
【発明の効果】
【００２３】
本発明によれば、地域の概念を持たないインターネットを用いたコンテンツ配信において、従来のテレビ端末装置にＧＰＳ等の付加装置をつけることなく、地上デジタル放送などで実現されている域外受信防止の仕組みを提供することが可能となる。これにより、著作権を適切に保護することが可能となる。
【図面の簡単な説明】
【００２４】
【図１】本発明の実施の形態１におけるコンテンツ配信システムの構成図
【図２】本発明の実施の形態１におけるコンテンツテーブル３１０を示す図
【図３】本発明の実施の形態１における制御部１０５のフローチャート
【図４】本発明の実施の形態３におけるコンテンツ配信システムの構成図
【図５】本発明の実施の形態３におけるコンテンツテーブル３２０を示す図
【図６】本発明の実施の形態３における制御部１０５のフローチャート
【図７】本発明の実施の形態４におけるコンテンツテーブル３２１を示す図
【図８】本発明の実施の形態５におけるコンテンツ配信システムの構成図
【図９】本発明の実施の形態５におけるコンテンツテーブル３３０を示す図
【図１０】本発明の実施の形態５におけるメタデータ３４０を示す図
【図１１】本発明の実施の形態５における制御部１０５のフローチャート
【図１２】本発明の実施の形態６におけるコンテンツ配信システムの構成図
【図１３】本発明の実施の形態６におけるコンテンツテーブル３３１を示す図
【図１４】本発明の実施の形態６におけるメタデータ３４１を示す図
【図１５】本発明の実施の形態６における制御部１０５のフローチャート
【発明を実施するための形態】
【００２５】
以下本発明を実施するための形態について、図面を参照しながら説明する。
【００２６】
（実施の形態１）
実施の形態１では、インターネットをＭＰＥＧ２−ＴＳコンテンツの配信手段とし、該コンテンツを再生するために必要な情報としてコンテンツ取得ＵＲＩ（Ｕｎｉｆｏｒｍ  Ｒｅｓｏｕｒｃｅ  Ｉｄｅｎｔｉｆｉｅｒｓ）を電波放送に多重するケースについて説明する。
【００２７】
図１に、本実施の形態におけるコンテンツ配信システムの構成を示す。このコンテンツ配信システムは、インターネット２００を介して接続される放送局３００と端末装置１００とを含む。
【００２８】
図１に示す放送局３００は、コンテンツサーバ３０１と、多重装置３０２と、放送送出装置３０３とを含む。コンテンツサーバ３０１は、配信するコンテンツそのものと図２に示すコンテンツテーブル３１０を格納している。コンテンツテーブル３１０は各コンテンツごとにタイトル、コンテンツを再生するための情報、すなわちコンテンツにアクセスするためのコンテンツ取得ＵＲＩ、コンテンツ取得ＵＲＩを電波放送に多重するＴＳパケットのＰＩＤ（Ｐａｃｋｅｔ  Ｉｄｅｎｔｉｆｉｃａｔｉｏｎ）、その電波放送を受信するためのＴＳ−ＩＤ（Ｔｒａｎｓｐｏｒｔ  Ｓｔｒｅａｍ  Ｉｄｅｎｔｉｆｉｃａｔｉｏｎ）と周波数を含んでいる。
【００２９】
一般に、デジタル電波放送ではＭＰＥＧ２−ＴＳを利用して１つの周波数に複数のチャンネルを多重することができ、このチャンネルを識別するためにＴＳ−ＩＤが使用される。よって同一の放送局においては、ＴＳ−ＩＤと周波数はコンテンツによらず、全て同じ値となる。１本のチャンネルの中には、映像・音声・文字情報などの異なる種類のデータが多重されており、それぞれのデータはＴＳパケットに格納して送出されている。ＰＩＤはこのＴＳパケットを識別するために使用されるため、コンテンツ取得ＵＲＩを多重するためのＰＩＤは本来のテレビ番組で使用しているＰＩＤを使わないように留意して選ぶ必要がある。
【００３０】
多重装置３０２は、コンテンツテーブル３１０から、そのチャンネルに属する配信サービスの全てのコンテンツ取得ＵＲＩとＰＩＤの組み合わせを取得し、本来のテレビ番組データに、一定周期で常時繰り返し多重する。図２の例では、放送局Ａに属するコンテンツの０ｘ１１１１のＰＩＤを持つＴＳパケットに「ｈｔｔｐ：／／ｈｏｕｓｏｕｋｙｏｋｕ．ｃｏ．ｊｐ／ｄｒａｍａ＿ａ．ｔｔｓ」が格納され、０ｘ１１１２のＰＩＤを持つＴＳパケットに「ｈｔｔｐ：／／ｈｏｕｓｏｕｋｙｏｋｕ．ｃｏ．ｊｐ／ｏｗａｒａｉｎｏ＿ｕｒａ．ｔｔｓ」が格納される。放送送出装置３０３は、多重装置３０２が多重してできたＴＳを周波数４７１ＭＨｚに合わせて電波放送する。
【００３１】
端末装置１００は、受信アンテナを介して電波放送を受信する放送チューナ１０１と、インターネットと通信する機能を有する通信部１０２とを備えている。端末装置１００は、例えばデジタルテレビやＳＴＢ（Ｓｅｔ  Ｔｏｐ  Ｂｏｘ）、またはＨＤＤ（Ｈａｒｄ  Ｄｉｓｋ  Ｄｒｉｖｅ）レコーダが考えられる。端末装置１００は、さらにＭＰＥＧ２−ＴＳから指定されたＰＩＤに該当するＴＳパケットを抜き出す機能を持つＴＳデコーダ１０３と、ＭＰＥＧデータから映像音声信号に復号する映像音声デコーダ１０４とを備え、制御部１０５がこれらのモジュールを制御することで、地上デジタル放送やコンテンツサーバ３０１が配信するコンテンツを受信、再生する機能を有している。
【００３２】
以上説明したコンテンツ配信システムにおいて、ユーザが端末装置１００を使用してコンテンツサーバ３０１からコンテンツを取得し、再生する手順について説明する。
【００３３】
ユーザは、端末装置１００の制御部１０５が備えるＷｅｂブラウザを利用し、通信部１０２を介してコンテンツサーバ３０１にアクセスする。コンテンツサーバ３０１は図２に示すコンテンツテーブル３１０からコンテンツ取得ＵＲＩを省いたコンテンツリストを通信部１０２を介して制御部１０５に送信する。制御部１０５は、各コンテンツのタイトルを表示し、ユーザにコンテンツを選択させる。
【００３４】
以下、ユーザがコンテンツを選んだ、すなわち再生操作を行った後の制御部１０５の動作について、図３を用いて詳細に説明する。ユーザがコンテンツを選択すると、制御部１０５は放送チューナ１０１に、該コンテンツ取得ＵＲＩを格納したチャンネルの周波数およびＴＳ−ＩＤを設定する（ステップＳ１０１）。すると、放送チューナ１０１は電波から該チャンネルデータのみを受信し、ＴＳデコーダ１０３に転送する。次に制御部１０５は、ＴＳデコーダ１０３にコンテンツ取得ＵＲＩを格納したＴＳパケットのＰＩＤを設定する（ステップＳ１０２）。制御部１０５は、一定時間内にＰＩＤに該当するＴＳパケットが検出されて、そのパケットに格納されたコンテンツ取得ＵＲＩが取得できたかどうか判定し（ステップＳ１０３）、一定時間内にコンテンツ取得ＵＲＩが取得されると、そのコンテンツ取得ＵＲＩを通信部１０２に設定する（ステップＳ１０４）。通信部１０２は該コンテンツ取得ＵＲＩにアクセスしてコンテンツを取得し、ＴＳデコーダ１０３へ転送する。制御部１０５は通常のＭＰＥＧ２−ＴＳ再生の手順に従って、該コンテンツからＰＡＴ（Ｐｒｏｇｒａｍ  Ａｓｓｏｃｉａｔｉｏｎ  Ｔａｂｌｅ）、ＰＭＴ（Ｐｒｏｇｒａｍ  Ｍａｐ  Ｔａｂｌｅ）を取得し、映像・音声のＰＩＤを取得し、該当するＴＳパケットを映像音声デコーダ１０４へ転送するようにＴＳデコーダに設定することで、コンテンツ再生を実施する（ステップＳ１０５）。
【００３５】
ユーザが、該当する放送局の放送区域外でコンテンツ再生操作を行った場合は、該当するコンテンツ取得ＵＲＩを取得できずにエラーとなって該当するコンテンツを再生できないため、域外視聴を防止することができる（ステップＳ１０６）。
【００３６】
なお、本実施の形態では、コンテンツテーブル３１０からコンテンツ取得ＵＲＩを省いたコンテンツリストをＷｅｂブラウザで取得したが、他にも該リストを番組のデータ放送に多重する事も考えられる。この場合、データ放送用ブラウザであるＢＭＬ（Ｂｒｏａｄｃａｓｔ  Ｍａｒｋｕｐ  Ｌａｎｇｕａｇｅ）ブラウザにコンテンツリストを表示し、コンテンツを選択することになる。コンテンツを選択した後の手順については図３に示すフローチャートと同じである。ただし、ＢＭＬでコンテンツリストを表示している時点で放送チューナは該放送局のチャンネルに設定されていることは明らかなので、この場合、ステップＳ１０１のチューナの選局手順が省かれてもよい。
【００３７】
（実施の形態２）
つぎに、本発明の実施の形態２におけるコンテンツ配信システムについて説明する。本実施の形態における構成は図１に示す構成と同じであり、また、コンテンツサーバ３０１に格納されたコンテンツテーブルも図２に示すコンテンツテーブルと同じである。本実施の形態が実施の形態１と異なる点は、コンテンツ取得ＵＲＩを時間ごとに変化させていることである。
【００３８】
実施の形態１のコンテンツ配信システムでは、端末装置１００の実装によっては、コンテンツサーバ３０１からコンテンツリストを取得した直後にコンテンツ取得ＵＲＩの取得処理が行われ、キャッシュという形にせよコンテンツ取得ＵＲＩを含むコンテンツテーブル３１０そのものを端末装置１００が再現して保存してしまうことも考えられる。このような実装をした端末装置１００を、Ａ県からＢ県に移動させてしまうと、Ｂ県に移動したにも拘わらずＡ県用のコンテンツが取得・再生できてしまう。
【００３９】
また、コンテンツ取得ＵＲＩが多重された通常の放送番組をＢＤなどのメディアに録画した後Ｂ県に移動した場合も、録画されたコンテンツ取得ＵＲＩを用いてＡ県用のコンテンツが取得・再生できてしまう。
【００４０】
このような問題に対して、本実施の形態では、コンテンツ取得ＵＲＩを時間ごとに変更することで対処することが可能となっている。具体的には、コンテンツサーバ３０１は例えば１時間ごとに各コンテンツのファイル名を変更すると共に、コンテンツテーブル３１０のコンテンツ取得ＵＲＩにも新しいファイル名を反映させる。さらに多重装置３０２もそれに連動して多重するＵＲＩを変更する。
【００４１】
このようにコンテンツ取得ＵＲＩを時間ごとに変更させることにより、Ａ県で端末装置１００にコンテンツ取得ＵＲＩを保存した後、Ｂ県に移動し、この保存したコンテンツ取得ＵＲＩを用いてコンテンツを取得しようとしても、コンテンツ取得ＵＲＩが変更されているためコンテンツを取得できない。以上のように、本実施の形態では、端末装置に保存したコンテンツ取得ＵＲＩを使用した域外視聴についても防止することが可能となる。
【００４２】
（実施の形態３）
実施の形態３では、暗号化されたＭＰＥＧ２−ＴＳコンテンツをインターネットから取得して端末装置のＨＤＤに記録し、該コンテンツを再生するために必要な情報として復号鍵を電波放送に多重するケースについて説明する。
【００４３】
図４に、本実施の形態におけるコンテンツ配信システムの構成を示す。図４は、本発明の実施の形態１で説明した図１とほぼ同じ構成をとっているため、図１の説明と同じ構成要素については同じ符号を割り振り、説明を省略する。
【００４４】
図４に示す放送局３００は、実施の形態１で説明した構成と同じであるが、コンテンツサーバ３０１は、コンテンツと共に、図５に示すコンテンツテーブル３２０を格納している。コンテンツテーブル３２０はコンテンツテーブル３１０に復号鍵を追加した構成を取り、さらにコンテンツ取得ＵＲＩを格納したＴＳパケットのＰＩＤの代わりに復号鍵を格納したＴＳパケットのＰＩＤが加えられている。多重装置３０２は、コンテンツサーバ３０１のコンテンツテーブル３２０を取得し、指定されたＰＩＤのＴＳパケットに復号鍵を格納し、本来のテレビ番組データに多重する。図５の例では０ｘ１１１１のＰＩＤを持つＴＳパケットに復号鍵「０ｘＡＡＡＡＡＡＡＡＡＡＡＡＡＡＡＡ」が格納され、０ｘ１１１２のＰＩＤを持つＴＳパケットに復号鍵「０ｘＢＢＢＢＢＢＢＢＢＢＢＢＢＢＢＢ」が格納される。さらに多重装置３０２は、コンテンツテーブル３２０から復号鍵を除いたコンテンツリストを作成し、テレビ番組に関連したデータ放送の一部として多重する。
【００４５】
図４に示す端末装置１００は、実施の形態１で説明した構成に加え、ＨＤＤ１０６、および暗号コンテンツを復号するためのデスクランブラ１０７を備えている。ＨＤＤ１０６は放送録画のために使われることを主な用途としているが、インターネットからの取得したコンテンツを蓄積する機能も備えている。
【００４６】
以上説明したコンテンツ配信システムにおいて、ユーザが端末装置１００を使用してコンテンツサーバ３０１からコンテンツを取得し、再生する手順について説明する。
【００４７】
ユーザは、端末装置１００の制御部１０５が備えるＢＭＬブラウザを利用して該放送チャンネルのデータ放送を視聴する。当該データ放送には多重装置３０２が多重した復号鍵以外のコンテンツリスト情報が含まれており、ＢＭＬブラウザ中に当該番組に関連したコンテンツのタイトル一覧を表示し、ユーザにコンテンツを選択させる。ユーザがコンテンツを選択すると、制御部１０５は通信部１０２に該コンテンツ取得ＵＲＩを渡し、ＨＤＤ１０６へコンテンツをダウンロードさせる。ＨＤＤ１０６に蓄積したコンテンツは、制御部１０５が備えるコンテンツ再生アプリケーションで閲覧することが可能である。
【００４８】
以下、ユーザがコンテンツ再生アプリケーションでコンテンツサーバ３０１からダウンロードしたコンテンツを選択した、すなわち再生操作を行った後の制御部１０５の動作について、図６を用いて詳細に説明する。ユーザがコンテンツを選択すると、制御部１０５は放送チューナ１０１に該コンテンツの復号鍵を格納したチャンネルの周波数およびＴＳ−ＩＤを設定する（ステップＳ２０１）。すると、放送チューナ１０１は電波から該チャンネルデータのみを受信し、ＴＳデコーダ１０３に転送する。次に制御部１０５は、ＴＳデコーダ１０３に復号鍵を格納したＴＳパケットのＰＩＤを設定する（ステップＳ２０２）。制御部１０５は、一定時間内にＰＩＤに該当するＴＳパケットが検出されて、そのパケットに格納された復号鍵が取得できたかどうか判定し（ステップＳ２０３）、一定時間内に復号鍵が取得されると、その復号鍵をデスクランブラ１０７に設定する（ステップＳ２０４）。最後に制御部１０５は通常のＭＰＥＧ２−ＴＳ再生の手順に従って、ＨＤＤ上に蓄積されたコンテンツからＰＡＴ（Ｐｒｏｇｒａｍ  Ａｓｓｏｃｉａｔｉｏｎ  Ｔａｂｌｅ）、ＰＭＴ（Ｐｒｏｇｒａｍ  Ｍａｐ  Ｔａｂｌｅ）を取得し、映像・音声のＰＩＤを取得し、該当するＴＳパケットを映像音声デコーダ１０４へ転送するようにＴＳデコーダに設定することで、コンテンツ再生を実施する（ステップＳ２０５）。ユーザが、該当する放送局の放送区域外でコンテンツ再生操作を行った場合は、該当する復号鍵を取得できずにエラーとなって該当するコンテンツを再生できないため、域外視聴を防止することができる（ステップＳ２０６）。
【００４９】
また、本実施の形態では、ユーザがコンテンツをダウンロードした後に、そのコンテンツの配信サービス期間が終了した場合は、放送局はそのコンテンツに対する復号鍵を放送しなくなるため、そのコンテンツの再生は出来ない。
【００５０】
なお、本実施の形態ではコンテンツリストを番組のデータ放送に多重したが、Ｗｅｂブラウザでコンテンツサーバ３０１から取得するようにしてもよい。
【００５１】
（実施の形態４）
つぎに、本発明の実施の形態４におけるコンテンツ配信システムについて説明する。
【００５２】
実施の形態３では、復号鍵そのものを電波放送に多重したが、復号鍵そのものを放送してしまうと、例えば、復号鍵が多重された通常の放送番組をＢＤなどのメディアに録画した後に放送区域外に移動した場合も、録画された復号鍵を用いて域外視聴ができてしまうという問題がある。本実施の形態は、この問題を解決するものであり、復号鍵そのものを多重する代わりに、復号鍵を取得するための復号鍵取得ＵＲＩを多重するようにし、その復号鍵取得ＵＲＩを時間ごとに変更するようにしたものである。
【００５３】
本実施の形態の構成は図４に示す構成と同じである。また、コンテンツサーバ３０１に格納されるコンテンツテーブルを図７に示す。このコンテンツテーブル３２１は、図５に示すコンテンツテーブルに復号鍵取得ＵＲＩを追加し、復号鍵を格納したＴＳパケットのＰＩＤを、復号鍵取得ＵＲＩを格納したＴＳパケットのＰＩＤに置き換えたものである。
【００５４】
本実施の形態において、ユーザがコンテンツ再生アプリケーションでコンテンツサーバ３０１からダウンロードしたコンテンツを選択した後の制御部１０５の動作は、図６のフローチャートにおいて、「復号鍵」を「復号鍵取得ＵＲＩ」に置き換えると共に、ステップＳ２０４において、復号鍵取得ＵＲＩを取得したあと、その復号鍵取得ＵＲＩを用いてインターネット上のコンテンツサーバ３０１から復号鍵を取得し、その取得した復号鍵をデスクランブラ１０７に設定するという動作となる。
【００５５】
本実施の形態では、コンテンツテーブル３２１の復号鍵取得ＵＲＩを時間に応じて変更し、それに合わせて多重装置３０２が復号鍵取得ＵＲＩを変更して放送番組に多重する。このようにすることで、最新のコンテンツテーブル３２１の復号鍵取得ＵＲＩと、以前の録画番組に含まれる復号鍵取得ＵＲＩが異なるため、復号鍵を取得することができず、録画を利用した域外視聴を防止することが可能となる。なお、復号鍵自体は端末装置１００に保存できないものとする。
【００５６】
（実施の形態５）
実施の形態５では、Ｂ−ＣＡＳで保護されたＭＰＥＧ２−ＴＳコンテンツを大容量記録媒体であるＢＤに格納して郵送などにより配布し、該コンテンツを再生するために必要な情報としてＥＣＭ（Ｅｎｔｉｔｌｅｍｅｎｔ  Ｃｏｎｔｒｏｌ  Ｍｅｓｓａｇｅ）とＥＭＭ（Ｅｎｔｉｔｌｅｍｅｎｔ  Ｍａｎａｇｅｍｅｎｔ  Ｍｅｓｓａｇｅ）を電波放送に多重するケースについて説明する。
【００５７】
図８に、本実施の形態におけるコンテンツ配信システムの構成を示す。図８は、本発明の実施の形態１、または実施の形態３で説明した構成が含まれているため、図１および図４の説明と同じ構成要素については同じ符号を割り振り、説明を省略する。
【００５８】
図８に示す放送局３００は、実施の形態１および実施の形態３で説明した構成とほぼ同じであるが、コンテンツサーバ３０１の代わりに復号鍵サーバ３０４が存在する。復号鍵サーバ３０４は、図９に示すコンテンツテーブル３３０を格納している。コンテンツテーブル３３０は各コンテンツごとにタイトル、ＥＣＭのＰＩＤ、ＥＭＭのＰＩＤ、ＥＣＭデータ、ＥＭＭデータを含んでいる。多重装置３０２は、コンテンツテーブル３３０を取得し、指定されたＰＩＤのＴＳパケットにＥＣＭデータ、またはＥＭＭデータを格納し、本来のテレビ番組データに多重する。
【００５９】
図８に示す端末装置１００は、実施の形態１で説明した構成に加え、デスクランブラ１０７、ＢＤドライブ１０８、およびＢ−ＣＡＳカード１０９を備えている。なお、図１および図４に記載していた通信部１０２は本実施の形態では使用しない。ＢＤドライブ１０８にセットされるＢＤメディアには、Ｂ−ＣＡＳで暗号化されたコンテンツに加え、図１０に示すメタデータ３４０が記録されている。なお、このＢＤメディアは放送局３００から各ユーザに郵送などの手段により配布されるものである。
【００６０】
以上説明したコンテンツ配信システムにおいて、ユーザが端末装置１００を使用してＢＤメディアが格納されたＢＤドライブ１０８からコンテンツを取得し、再生する手順について説明する。
【００６１】
ユーザは、端末装置１００の制御部１０５が備えるＢＤ再生アプリケーションを利用して、視聴するコンテンツを選択する。
【００６２】
以下、ユーザがＢＤ再生アプリケーションでコンテンツを選択した後の制御部１０５の動作について、図１１を用いて詳細に説明する。ユーザがコンテンツを選択すると、制御部１０５は放送チューナ１０１に該コンテンツのＥＣＭ、ＥＭＭを格納するチャンネルの周波数、およびＴＳ−ＩＤを設定する（ステップＳ３０１）。すると、放送チューナ１０１は電波から該チャンネルデータのみを受信し、ＴＳデコーダ１０３に転送する。次に制御部１０５は、ＴＳデコーダ１０３にＥＣＭ、ＥＭＭを格納するＴＳパケットのＰＩＤを設定する（ステップＳ３０２）。
【００６３】
制御部１０５は、一定時間内にＰＩＤに該当するＴＳパケットが検出されて、そのパケットに格納されたＥＣＭ、ＥＭＭが取得できたかどうか判定し（ステップＳ３０３）、一定時間内にＥＣＭ、ＥＭＭが取得されると、それとＢ−ＣＡＳカードとを連携させて復号鍵を取得し（ステップＳ３０４）、デスクランブラ１０７に設定する（ステップＳ３０５）。最後に制御部１０５は通常のＭＰＥＧ２−ＴＳ再生の手順に従って、ＢＤメディアのコンテンツからＰＡＴ（Ｐｒｏｇｒａｍ  Ａｓｓｏｃｉａｔｉｏｎ  Ｔａｂｌｅ）、ＰＭＴ（Ｐｒｏｇｒａｍ  Ｍａｐ  Ｔａｂｌｅ）を取得し、映像・音声のＰＩＤを取得し、該当するＴＳパケットを映像音声デコーダ１０４へ転送するようにＴＳデコーダに設定することで、コンテンツ再生を実施する（ステップＳ３０６）。
【００６４】
ユーザが、該当する放送局の放送区域外でコンテンツ再生操作を行った場合は、該当するＥＣＭ、ＥＭＭを取得できずにエラーとなって該当するコンテンツを再生できないため、域外視聴を防止することができる（ステップＳ３０７）。
【００６５】
以上説明したことから明らかなとおり、本発明によれば、地域の概念を持たないインターネットやＢＤメディアを用いたコンテンツ配信において、従来のテレビ端末装置に付加装置をつけることなく、地上デジタル放送などで実現されている域外受信防止の仕組みを提供することが可能となる。
【００６６】
（実施の形態６）
つぎに、本発明の実施の形態６におけるコンテンツ配信システムについて説明する。
【００６７】
実施の形態６では、ＥＣＭ、ＥＭＭそのものを電波放送に多重したが、ＥＣＭ、ＥＭＭそのものを放送してしまうと、例えば、ＥＣＭ、ＥＭＭが多重された通常の放送番組をＢＤなどのメディアに録画した後に放送区域外に移動した場合も、録画されたＥＣＭ、ＥＭＭ鍵を用いて域外視聴ができてしまうという問題がある。本実施の形態は、この問題を解決するものであり、ＥＣＭ、ＥＭＭそのものを多重する代わりに、ＥＣＭ、ＥＭＭを取得するためのＥＣＭ、ＥＭＭ取得ＵＲＩを多重するようにし、そのＥＣＭ、ＥＭＭ取得ＵＲＩを時間ごとに変更するようにしたものである。
【００６８】
本実施の形態の構成を図１２に示す。図１２に示す構成は、図８に示す実施の形態５の構成に対して、端末装置１００に、インターネット２００を介して、復号鍵サーバ３０４と通信する通信部１０２を追加したものである。
【００６９】
また、本実施の形態の復号鍵サーバ３０４には、図１３に示すコンテンツテーブル３３１を格納している。コンテンツテーブル３３１は、図９に示す実施の形態５のコンテンツテーブル３３０に対して、ＥＣＭ、ＥＭＭ取得ＵＲＩを追加し、ＥＣＭ−ＰＩＤ、ＥＭＭ−ＰＩＤをＥＣＭ、ＥＭＭ取得ＵＲＩを格納したＴＳパケットのＰＩＤに変更したものである。
【００７０】
また、本実施の形態のＢＤには、図１４に示すメタデータ３４１が記録される。メタデータ３４１は図１０に示す実施の形態５のメタデータ３４０に対して、ＥＣＭ−ＰＩＤ、ＥＭＭ−ＰＩＤをＥＣＭ、ＥＭＭ取得ＵＲＩを格納したＴＳパケットのＰＩＤに変更したものである。
【００７１】
本実施の形態において、ユーザがＢＤ再生アプリケーションでコンテンツを選択するまでの動作は実施の形態５と同様である。
【００７２】
ユーザがコンテンツを選択した後の制御部１０５の動作を図１５に示す。図１５に示す動作は、図１１に示す実施の形態５の動作に対して、Ｓ３０１〜Ｓ３０３の「ＥＣＭ，ＥＭＭ」を「ＥＣＭ、ＥＭＭ取得ＵＲＩ」に置き換え、さらに、一定時間内にＥＣＭ、ＥＭＭ取得ＵＲＩが取得できたときに、そのＥＣＭ、ＥＭＭ取得ＵＲＩを用いて復号鍵サーバ３０４からＥＣＭ、ＥＭＭを取得する（ステップＳ３０８）を追加したものである。
【００７３】
そして、このＥＣＭ、ＥＭＭ取得ＵＲＩを時間ごとに変更することにより、最新のコンテンツテーブル３３１のＥＣＭ、ＥＭＭ取得ＵＲＩと、以前の録画番組に含まれるＥＣＭ、ＥＭＭ取得ＵＲＩが異なるため、ＥＣＭ、ＥＭＭを取得することができず、録画を利用した域外視聴を防止することが可能となる。なお、ＥＣＭ、ＥＭＭ自体は端末装置１００に保存できないものとする。
【００７４】
なお、前述の第３の従来技術で述べたチャンネル情報は、そのチャンネルに一意のものであるため、時間と共に変更することは出来ないが、実施の形態２におけるコンテンツ取得ＵＲＩや、実施の形態４における復号鍵取得ＵＲＩや、実施の形態６におけるＥＣＭ、ＥＭＭ取得ＵＲＩなどはチャンネルに一意でないため、時間と共に変更することにより、域外受信防止の効果をより大きくすることができる。
【産業上の利用可能性】
【００７５】
本発明は、域外受信防止の必要性が高いテレビ局（特に地方テレビ局）が、インターネット連携サービスを実現する上で有用である。
【符号の説明】
【００７６】
１００  端末装置
１０１  放送チューナ
１０２  通信部
１０３  ＴＳデコーダ
１０４  映像音声デコーダ
１０５  制御部
１０６  ＨＤＤ
１０７  デスクランブラ
１０８  ＢＤドライブ
１０９  Ｂ−ＣＡＳカード
２００  インターネット
３００  放送局
３０１  コンテンツサーバ
３０２  多重装置
３０３  放送送出装置
３０４  復号鍵サーバ
３１０  コンテンツテーブル
３２０  コンテンツテーブル
３２１  コンテンツテーブル
３３０  コンテンツテーブル
３３１  コンテンツテーブル
３４０  ＢＤメディアのメタデータ
３４１  ＢＤメディアのメタデータ
【図１】
2011077983.tif 000003
【図２】
2011077983.tif 000004
【図３】
2011077983.tif 000005
【図４】
2011077983.tif 000006
【図５】
2011077983.tif 000007
【図６】
2011077983.tif 000008
【図７】
2011077983.tif 000009
【図８】
2011077983.tif 000010
【図９】
2011077983.tif 000011
【図１０】
2011077983.tif 000012
【図１１】
2011077983.tif 000013
【図１２】
2011077983.tif 000014
【図１３】
2011077983.tif 000015
【図１４】
2011077983.tif 000016
【図１５】
2011077983.tif 000017